(57)【特許請求の範囲】
【請求項１】
光学系から映像信号が入力されるデジタル信号処理手段と、前記デジタル信号処理手段に入力される映像信号のうち輝度信号のタイミングを遅延させる輝度信号遅延回路と、前記デジタル信号処理手段からの色信号タイミングを遅延させる色遅延回路と、前記輝度信号遅延回路から出力される輝度信号と前記色信号遅延回路から出力される色信号とを混合する第１の混合回路と、前記第１の混合回路から出力される映像信号を外部へ出力する映像信号出力部と、前記輝度信号遅延回路から出力される輝度信号を記録するための輝度信号に処理する輝度信号記録回路と、前記デジタル信号処理手段から出力される色信号を記録するための色信号に処理する色信号記録回路と、前記輝度信号記録回路から出力される輝度信号と前記色信号記録回路から出力される色信号とを混合する第２の混合回路とを備えたことを特徴とする磁気記録再生装置。
【請求項２】
色信号遅延回路は、抵抗とコイルとコンデンサとからなることを特徴とする請求項１記載の磁気記録再生装置。
【請求項３】
光学系から入力され所定量遅延された輝度信号と色信号とを混合し、外部に出力するとともに、前記所定量遅延され記録に対応した信号処理が施された輝度信号と、遅延されず記録に対応した信号処理が施された色信号とを混合し、記録媒体に記録することを特徴とする磁気記録再生方法。
【発明の詳細な説明】
【０００１】
【発明の属する技術分野】
本発明は、カメラ装置と一体として構成した磁気記録再生装置に関するものである。
【０００２】
【従来の技術】
近年、磁気記録再生装置はデジタル化が進み、又価格の低下や消費電力の低減に多くの開発技術がそそがれている。その中で輝度信号と色信号のタイミングを各ブロックで合わせることについても、より一層のコストの低減や消費電力の低減が求められている。
【０００３】
以下に従来の磁気記録再生装置について説明する。
従来、磁気記録再生装置に於ける輝度信号と色信号のタイミングを合わせる回路を図２に示す。図２は従来の磁気記録再生装置の輝度信号と色信号のタイミングを合わせる回路の構成を示すブロック図である。図２において、１は光学系からの輝度信号と色信号を出力するデジタル信号プロセッサーで、輝度信号タイミングを遅延する輝度信号遅延回路１１を内蔵している。６はデジタル信号プロセッサー１からの輝度信号と色信号とを混合する第１の混合回路、３は第１の混合回路６から出力された信号を外部に出力する映像信号出力部で、カメラ一体型ＶＴＲにおいては外部出力端子に相当する。８は外部より入力されるコンポジット信号が入力され輝度信号のみを抽出するローパスフィルタ（以下、ＬＰＦと記す）、９は外部より入力されるコンポジット信号が入力され色信号のみを抽出するバンドパスフィルタ（以下、ＢＰＦと記す）、４はＬＰＦ８またはデジタル信号プロセッサー１から出力される輝度信号が入力され記録すべく輝度信号に変換する輝度信号記録回路、１０は輝度信号記録回路４から出力される輝度信号のタイミングを所定時間遅延する記録輝度信号遅延回路、５はＢＰＦ９またはデジタル信号プロセッサー１から出力される色信号が入力され記録すべく色信号に変換する色信号記録回路、７は記録輝度信号遅延回路１０から出力される輝度信号と色信号記録回路５から出力される色信号とを混合する第２の混合回路、１２は第２の混合回路７から出力される映像信号を磁気テープなどの記録媒体に記録する記録部で、ロータリートランスや磁気ヘッドなどからなる。
【０００４】
以上のように構成された従来の磁気記録再生装置について、以下その動作を説明する。
【０００５】
磁気記録再生装置において、レンズなどからなる光学系から、被写体の映像信号がデジタル信号プロセッサー１に入力される。デジタル信号プロセッサー１から輝度信号と色信号を出力する時に、内蔵された輝度信号遅延回路１１により、輝度信号タイミングを遅延させて、ビデオ出力信号のコンポジットビデオ信号における輝度信号と色信号とのタイミングが完全に合うように調整していた。デジタル信号プロセッサー１から出力された輝度信号及び色信号は、第１の混合回路６で混合してコンポジットビデオ信号にする。この時、ビデオ信号の輝度信号と色信号のタイミングは完全に合っている。そのビデオ信号は映像信号出力部３を介して外部に出力される。
【０００６】
一方、カメラと一体型になっていない磁気記録再生装置に於いては、記録時の信号処理として、コンポジット信号から、輝度信号と色信号を分離することが前提になっており、ＬＰＦ８でフィルタリングされた輝度信号は、ＬＰＦ８と輝度信号記録回路４の合計の遅延時間に基づいて遅延し、またＢＰＦ９でフィルタリングされた色信号は、ＢＰＦ９と色信号記録回路５の合計の遅延時間に基づいて遅延させる。この時、それぞれの遅延時間は同等になっており、第２の混合回路７から出力する記録信号の輝度信号と色信号とのタイミングを完全に合わせていた。
【０００７】
ところがカメラ一体型磁気記録再生装置においては、カメラと磁気記録再生装置の間の信号の授受は、輝度信号と色信号を別々に伝送するコンポーネント信号処理を行っており、コンポジット信号から輝度信号と色信号を分離する為のＬＰＦ８とＢＰＦ９は不要になる。そこで、カメラからデジタル信号プロセッサー１を介して入力された輝度信号と色信号は、それぞれ直接、輝度信号記録回路４と色信号記録回路５に供給している。
【０００８】
このように構成する理由としては、磁気記録再生装置における記録時、ＬＰＦ８とＢＰＦ９に電源を供給する必要がなくなり、消費電力の低減が図れることと、ＬＰＦ８とＢＰＦ９を通さないことにより、輝度信号と色信号の両方の帯域が広く占有できるという２つのメリットがあるからである。
【０００９】
しかしながら、一方でこの構成によって、以下に示す問題が発生する。
まず、前提としてＬＰＦ８に比べて、ＢＰＦ９の方が２００ｎｓ〜３００ｎｓ遅延時間が短くなっている。本構成においてＬＰＦ８と輝度信号記録回路４の合計の遅延時間と、ＢＰＦ９と色信号記録回路５の合計の遅延時間を同等になるよう設定しているため、ＬＰＦ８及びＢＰＦ９を通さず第２の混合回路７で混合された記録信号は、輝度信号と色信号とのタイミングが合わなくなる。すなわち、合計遅延時間でタイミングを合わせていたのが、異なる遅延時間のフィルターを、それぞれ通さないようにすることになるので、異なる遅延時間の輝度信号記録回路４と色信号記録回路５から出力される記録輝度信号と記録色信号との混合信号である記録信号で、輝度信号と色信号とのタイミングが合わなくなってしまう。
【００１０】
そこで、従来の磁気記録再生装置では、記録輝度信号遅延回路１０を追加することにより、輝度信号記録回路４から出力される輝度信号を２００ｎｓ〜３００ｎｓ遅延させ、この問題に対処してきた。つまり、記録輝度信号遅延回路１０を通じて、記録輝度信号を第２の混合回路７に供給することにより、記録信号における輝度信号と色信号とのタイミングを合わせたのである。
【００１１】
【発明が解決しようとする課題】
しかしながら上記の従来の磁気記録再生装置の構成では、以下のような問題を有していた。記録輝度信号の帯域は１ＭＨｚから８ＭＨｚまでのとても広い帯域を持っている。しかも磁気記録信号として使うので位相特性もフラットである必要がある。そこで、記録輝度信号遅延回路１０によって記録輝度信号を２００ｎｓ〜３００ｎｓ遅延させるということは、その広い帯域を位相回りなしに遅延させることが必要条件である。そのため、記録輝度信号遅延回路１０にはとても高価で大型のフィルター型遅延素子を使った高価な回路が必須であり、コストアップにつながってしまうという問題点を有していた。
【００１２】
本発明は上記問題点を鑑み、高価で大型のフィルター型遅延素子を使わずに、ビデオ出力信号と記録信号の輝度信号と色信号のタイミングを合わせる回路構成の磁気記録再生装置を提供することを目的とするものである。
【００１３】
【課題を解決するための手段】
この目的を達成するために本発明の磁気記録再生装置は、光学系から映像信号が入力されるデジタル信号処理手段と、デジタル信号処理手段に入力される映像信号のうち輝度信号のタイミングを遅延させる輝度信号遅延回路と、デジタル信号処理手段からの色信号タイミングを遅延させる色遅延回路と、輝度信号遅延回路から出力される輝度信号と色信号遅延回路から出力される色信号とを混合する第１の混合回路と、第１の混合回路から出力される映像信号を外部へ出力する映像信号出力部と、輝度信号遅延回路から出力される輝度信号を記録するための輝度信号に処理する輝度信号記録回路と、デジタル信号処理手段から出力される色信号を記録するための色信号に処理する色信号記録回路と、輝度信号記録回路から出力される輝度信号と色信号記録回路から出力される色信号とを混合する第２の混合回路とを備えたものである。
【００１４】
この構成によって、デジタル信号プロセッサーに内蔵する輝度信号遅延回路で、あらかじめ遅延させた輝度信号を出力することと、１Ｍ以下と比較的限られた帯域の色信号を遅延させる簡単な構成のフィルターを使った色信号遅延回路を使うことにより、高価で大型なフィルター型遅延素子から成る記録輝度信号遅延回路を使わずに、ビデオ出力信号と記録信号の、輝度信号と色信号とのタイミングを合わせることができる。
【００１５】
また、色信号遅延回路は、抵抗とコイルとコンデンサとからなるものである。そしてこのような構成により、大幅なコストアップをせずに色信号遅延回路が実現できる。
【００１６】
【発明の実施の形態】
本発明の請求項１及び３に記載の発明は、光学系から映像信号が入力されるデジタル信号処理手段と、デジタル信号処理手段に入力される映像信号のうち輝度信号のタイミングを遅延させる輝度信号遅延回路と、デジタル信号処理手段からの色信号タイミングを遅延させる色遅延回路と、輝度信号遅延回路から出力される輝度信号と色信号遅延回路から出力される色信号とを混合する第１の混合回路と、第１の混合回路から出力される映像信号を外部へ出力する映像信号出力部と、輝度信号遅延回路から出力される輝度信号を記録するための輝度信号に処理する輝度信号記録回路と、デジタル信号処理手段から出力される色信号を記録するための色信号に処理する色信号記録回路と、輝度信号記録回路から出力される輝度信号と色信号記録回路から出力される色信号とを混合する第２の混合回路とを備えたものであり、この構成によって、デジタル信号プロセッサーに内蔵する輝度信号遅延回路で、あらかじめ遅延させた輝度信号を出力することと、１Ｍ以下と比較的限られた帯域の色信号を遅延させる簡単な構成のフィルターを使った色信号遅延回路を使うことにより、高価で大型なフィルター型遅延素子から成る記録輝度信号遅延回路を使わずに、ビデオ出力信号と記録信号の、輝度信号と色信号とのタイミングを合わせることができる。
【００１７】
また、請求項２に記載の発明は、色信号遅延回路は、抵抗とコイルとコンデンサとからなるものであり、このような構成により、大幅なコストアップをせずに色信号遅延回路が実現できる。
【００１８】
以下、本発明の実施の形態について、図１を用いて具体的に説明する。
（実施の形態１）
図１は本実施の形態の磁気記録再生装置の構成を示すブロック図であり、図１において、１は光学系から入力される被写体信号に基づいて輝度信号と色信号を出力するデジタル信号プロセッサーで、具体的にはゲートとラッチとその他の論理回路から構成されている。その動作は、決まったクロック信号に同期してすべての信号処理を行っている。１１はデジタル信号プロセッサー１に内蔵された輝度信号遅延回路で、具体的にはラッチで構成されている。その遅延動作は、外部の制御により、決まったクロック信号の数だけ輝度信号を保持してから出力することで実現している。この動作を行うことにより、デジタル的に輝度信号を遅延させることができる。２はデジタル信号プロセッサー１から出力される色信号を所定量遅延させる色信号遅延回路で、その遅延量は輝度信号遅延回路１１における遅延量とほぼ同じである。この色信号遅延回路２は、抵抗、コイル、コンデンサをそれぞれ１〜２個程度接続することで構成できる。６は輝度信号と色信号のを混合してコンポジットのビデオ出力信号を出力する第１の混合回路、３は第１の混合回路６から出力される映像信号を外部に出力する映像信号出力部で、カメラ一体型ＶＴＲにおいては外部出力端子に相当する。４はデジタル信号プロセッサー１内の輝度信号遅延回路１１またはＬＰＦ８から出力される輝度信号にエンファシスやＦＭ変調などを施す輝度信号記録回路、５はデジタル信号プロセッサー１またはＢＰＦ９から出力される色信号を低域変換して帯域を制限し位相を整える色信号記録回路、８及び９は外部から入力されるコンポジット信号から輝度信号及び色信号を抽出するＬＰＦ及びＢＰＦで、本構成の輝度信号と色信号を別々に伝送するコンポーネント信号処理の磁気記録再生装置では記録時には動作していない。ただし、ＬＰＦ８とＢＰＦ９も再生時には動作する。それは、磁気記録した信号はＦＭ変調した輝度信号と低域変換した色信号を混合した記録信号なので、その記録信号を再生した再生信号も、ＦＭ変調した輝度信号と低域変換した色信号を混合した信号である。その再生信号から、ＦＭ変調した輝度信号と低域変換した色信号を分離して信号処理を行い、元のコンポジット信号に戻す課程でＬＰＦ８とＢＰＦ９も使用する。７は輝度信号記録回路４からの記録輝度信号と色信号記録回路５からの記録色信号とを混合する第２の混合回路、１２は第２の混合回路７から出力された記録信号を磁気テープなどの記録媒体に記録する記録部で、ロータリートランスや磁気ヘッドなどからなる。
【００１９】
以上のように構成された本実施の形態の磁気記録再生装置について、以下その動作を説明する。
【００２０】
まず、レンズやＣＣＤなどの光学系から入力された被写体信号は、デジタル信号プロセッサー１に入力される。被写体信号のうち輝度信号は、輝度信号遅延回路１１で、輝度信号をあらかじめ遅延させて、輝度信号記録回路４に送ることで記録系の時間あわせをしている。輝度信号は輝度信号記録回路４で記録に必要な信号処理が施され、第２の混合回路７に入力される。
【００２１】
色信号は遅延されることなく、直接デジタル信号プロセッサー１から色信号記録回路５へと送っている。色信号は色信号記録回路５で記録に必要な信号処理が施され、第２の混合回路７に入力される。第２の混合回路７では、輝度信号記録回路４からの輝度信号と色信号記録回路５からの色信号とを混合し、記録部１２に出力する。記録部１２で、記録媒体に記録される。ここで、輝度信号と色信号を混合する第２の混合回路７を通った後の記録信号では、輝度信号と色信号のタイミングが完全に一致している。
【００２２】
一方、ビデオ出力信号系の回路については、入力される映像信号のうち輝度信号を輝度信号遅延回路１１で、あらかじめ遅延させ、第１の混合回路６へ入力する。それに対して、デジタル信号プロセッサー１から出力された色信号は、色信号遅延回路２で、デジタル信号プロセッサー１に内蔵する輝度信号遅延回路１１であらかじめ遅延させた遅延量と同じだけ遅延させて、第１の混合回路６に入力する。第１の混合回路６では、輝度信号遅延回路１１で遅延された輝度信号と、色信号遅延回路２で遅延された色信号とを混合して出力する。第１の遅延回路６から出力された映像信号は、映像信号出力部３を介して外部に出力される。この時、映像信号出力部３から出力される映像信号の輝度信号と色信号のタイミングは完全に一致している。
【００２３】
また、外部から入力されるコンポジット信号は、ＬＰＦ８で輝度信号が抽出され、ＢＰＦ９で色信号が抽出される。ＬＰＦ８で抽出された輝度信号は、輝度信号記録回路４に入力され、記録に必要な処理が施された後、第２の混合回路７に入力される。一方、ＢＰＦ９で抽出された色信号は、色信号記録回路５で記録に必要な処理が施された後、第２の混合回路７に入力される。第２の混合回路７で、輝度信号と色信号が混合され、記録部１２で記録媒体に記録される。この時、ＬＰＦ８と輝度信号記録回路４との合計遅延量と、ＢＰＦ９と色信号記録回路５との合計遅延量とは一致しているため、記録部１２で記録される輝度信号と色信号とはタイミングは一致している。
【００２４】
以上のように本実施の形態によれば、いかなる映像信号入力に対しても輝度信号と色信号とのタイミングを一致させて記録することができる。
【００２５】
【発明の効果】
以上のように本発明によれば、高価で大型のフィルター型遅延素子を使った遅延回路を使わずに、抵抗やコイルやコンデンサ各１〜２個程度で構成された、簡単な構成のフィルターよりなる色信号遅延回路２を遅延手段として使うことで、大幅なコストアップを伴わずに外部端子からの出力映像信号と記録回路で記録される記録信号の両方の信号に対して、輝度信号と色信号とのタイミングが一致させることができるという優れた効果が得られる。
【図面の簡単な説明】
【図１】本発明の実施の形態における磁気記録再生装置の構成を示すブロック図
【図２】従来の磁気記録再生装置の構成を示すブロック図
【符号の説明】
１  デジタル信号プロセッサー
２  色信号遅延回路
３  映像信号出力部
４  輝度信号記録回路
５  色信号記録回路
６  第１の混合回路
７  第２の混合回路
８  ＬＰＦ
９  ＢＰＦ
１１  輝度信号遅延回路
【図１】
0003820734.tif 000002
【図２】
0003820734.tif 000003